(57)【要約】  本開示は、UE (100) が緊急サービスのために接続されている場合におけるUEの挙動を処理する方法に関する。より具体的には、本開示は、UE (100) が、3GPPアクセスネットワークおよび非3GPPアクセスネットワークで一つのPLMNまたは二つの異なるPLMNに登録され、UE (100) が、3GPPアクセスネットワークまたは非3GPPアクセスネットワークのいずれか一方で緊急サービスのために登録された場合のUE (100) の挙動を定義する。【選択図】図１
2021527996.tif 000002
【特許請求の範囲】
【請求項１】
第１のアクセスネットワークで緊急サービスのために第１のPLMN（Public Land Mobile Network）に登録されている場合に、非緊急サービスのために、第２のアクセスネットワークで第２のPLMNへの登録手順を実行し、
前記第２のアクセスネットワークで、前記第２のPLMNに対し、前記非緊急サービスのためのPDU（Protocol Data Unit）セッションを確立する
UE（User Equipment）の方法。
【請求項２】
第１のアクセスネットワークで緊急サービスのために第１のPLMNに登録されている場合に、第２のアクセスネットワークで緊急サービスのためにAMF（Access Management Function）へ登録要求メッセージを送信し、緊急登録が許可されていないことを示すcauseを有する登録要求拒否メッセージを受信する、UEの方法。
【請求項３】
緊急サービスのために第１のアクセスネットワークで第１のPLMNへ登録され、第２のアクセスネットワークで第２のPLMNへ登録されている場合に、第２のアクセスネットワークで緊急サービスのためのPDUセッションを確立し、
前記第１のアクセスネットワークから前記第２のアクセスネットワークへのPDUセッション手順のハンドオーバを実行する、UEの方法。
【請求項４】
緊急サービスのために、第１のアクセスネットワークで第１のPLMNへ登録され、第２のアクセスネットワークで第２のPLMNへ登録されている場合に、UEによって、前記第２のアクセスネットワークで緊急サービスのためにPDUセッションを確立し、
ネットワークによって、前記第１のアクセスネットワークでのPDUセッションを解放するために前記第１のアクセスネットワークで前記PDUセッションに対するnetwork-initiated deregistration手順を開始する、UE及びネットワークの方法。
【発明の詳細な説明】
【技術分野】
【０００１】
本開示は、緊急サービスのためにデバイスがアタッチするときのUEの挙動に関する。
【背景技術】
【０００２】
5GSでは、3rd Generation Partnership Project (3GPP) アクセスと非3GPPアクセスをサポートするUEは、 3GPPアクセスと非3GPPアクセスを同時に経由して、一つのPublic Land Mobile Network (PLMN) または二つの異なるPLMNに登録できる。UEがPLMNまたは等価のPLMNに3GPPアクセスネットワーク (例:Next Generation-Radio Access Network (NG-RAN)、 g Node B (gNB))、及び非3GPPアクセスネットワーク(例:Wifiアクセスポイント)で登録されている場合、 UEは同一のAccess Management Function (AMF) に登録される。すなわち、3GPPアクセスネットワークと非3GPPアクセスネットワークは、同一のAMFに接続されている。UEが、一方が3GPPアクセスで、他方が非3GPPアクセスで2つの非等価なPLMNに登録されている場合、UEは二つの異なるAMFに登録される。すなわち、一方のAMFが第１のPLMNに属し、他方のAMFが第２のPLMNに属する。3GPPアクセスと非3GPPアクセスのためのUEのRegistration Management contextは異なる。
【０００３】
UEは緊急呼を実行するために、緊急サービス用のProtocol Data Unit (PDU) セッションを確立する。UEが登録され、通常のサービス状態（normal service state）または制限されたサービス状態(limited service state)にある場合、またはUEが緊急登録手順を正常に実行した場合、UEが緊急サービス用のPDU セッションだけを保持しているとき、UEは、緊急サービスのためにアタッチされていると見なされる。UEが緊急サービスに登録されている場合、UEは通常サービスにアクセスできない。通常のサービスを受けるには、登録を解除して通常サービスに登録する必要がある。
【発明の概要】
【発明が解決しようとする課題】
【０００４】
UEが、一方が3GPPアクセスで、他方が非3GPPアクセスで、一つのPLMNまたは二つの異なるPLMNに登録されており、UEが二つのアクセスネットワークの一つのネットワークで緊急登録されているとき、このシナリオでは、UEは、通常サービス、すなわち、非緊急サービス(例:IoT、URLCC、ブラウジング)に対して、3GPPアクセスでも、非3GPPアクセスでも、最新の3GPP仕様に基づいて、PDU セッションをアクティブ化することを許可されない。このアーキテクチャ設計は、UEが、進行中の緊急サービスに影響を与えることなく、非緊急PDUセッションを確立することにより、緊急登録のために用いられるアクセスネットワーク以外の他のアクセスネットワークを介して、通常サービスにアクセスできるにもかかわらず、ユーザサービスを不必要に制限する。
【課題を解決するための手段】
【０００５】
本開示の第１の態様にかかるUEの方法は、第１のアクセスネットワークで緊急サービスのために第１のPLMN（Public Land Mobile Network）にUEが登録されている場合に、非緊急サービスのために、第２のアクセスネットワークで第２のPLMNへの登録手順を実行し、前記第２のアクセスネットワークで、前記第２のPLMNに対し、前記非緊急サービスのためのPDU（Protocol Data Unit）セッションを確立することを含む。
UE（User Equipment）の方法。
【図面の簡単な説明】
【０００６】
【図１】図1は、3GPPアクセスおよび非3GPPアクセスが同じAMFに接続されている場合の5GSの3GPPおよび非3GPPアーキテクチャを示す。
【図２】図2は、3GPPアクセスおよび非3GPPアクセスが異なるAMFに接続されている場合の5GSの3GPPおよび非3GPPアーキテクチャを示す。
【図３】図3は、5GSとEPC/E-UTRAN間のインターワーキングのためのホームルーテッドローミングアーキテクチャを示す。
【図４】図4は、UEが他のアクセスネットワークで緊急登録されている場合に、他のアクセスネットワークで非緊急サービスにアクセスする手順を示す。
【図５】図5は、UEが他のアクセスネットワークで緊急登録されている場合に、他のアクセスネットワークで非緊急サービスにアクセスする手順を示す。
【図６】図6は、UEが他のアクセスネットワークで緊急登録されている場合に、他のアクセスネットワークで緊急サービスにアクセスする手順を示す。
【図７】図7は、UEが他のアクセスネットワークで緊急登録されている場合に、他のアクセスネットワークで緊急サービスにアクセスする手順を示す。
【図８】図8は、UEが他のアクセスネットワークで緊急登録されている場合に、他のアクセスネットワークで緊急サービスにアクセスする手順を示す。
【図９】図9は、UEの一般的なブロック図を示す。
【図１０】図10は、 (R) ANの一般的なブロック図を示す。
【図１１】図11は、AMFの一般的なブロック図を示す。
【発明を実施するための形態】
【０００７】
本文書の目的上、TR 21.905及び以下に示す略語を適用する。本文書で定義されている略語は、TR 21.905に同じ略語がある場合は、その定義に優先する。
【０００８】
5GC            5G Core Network
5GS            5G System 
5G-AN            5G Access Network
5G-GUTI        5G Globally Unique Temporary Identifier
5G S-TMSI    5G S-Temporary Mobile Subscription Identifier
5QI            5G QoS Identifier
AF            Application Function
AMF            Access and Mobility Management Function
AN            Access Node
AS            Access Stratum
AUSF          Authentication Server Function
CP            Control Plane
CM            Connection Management
DL            Downlink
DN            Data Network
DNAI          DN Access Identifier
DNN            Data Network Name
EDT            Early Data Transmission
EPS            Evolved Packet System
EPC            Evolved Packet Core
FQDN          Fully Qualified Domain Name
GFBR          Guaranteed Flow Bit Rate
GMLC          Gateway Mobile Location Centre
GMSC          Gateway Mobile Services Switching Center
GPSI          Generic Public Subscription Identifier
GUAMI        Globally Unique AMF Identifier
HR            Home Routed (roaming)
I-RNTI            I-Radio Network Temporary Identifier
LADN              Local Area Data Network
LBO            Local Break Out (roaming)
LMF            Location Management Function
LRF            Location Retrieval Function
MAC            Medium Access Control
MFBR          Maximum Flow Bit Rate
MICO          Mobile Initiated Connection Only
MME            Mobility Management Entity
MNRF              Mobile Station Not Reachable Flag
MO            Mobile Originated
MT            Mobile Terminated
N3IWF            Non-3GPP Inter Working Function
NAI            Network Access Identifier
NAS            Non-Access Stratum
NEF            Network Exposure Function
NF            Network Function
NG-RAN        Next Generation Radio Access Network
NR            New Radio
NRF            Network Repository Function
NSI ID            Network Slice Instance Identifier
NSSAI            Network Slice Selection Assistance Information
NSSF          Network Slice Selection Function
NSSP          Network Slice Selection Policy
PCF            Policy Control Function
PEI            Permanent Equipment Identifier
PER            Packet Error Rate
PFD            Packet Flow Description 
PLMN         Public land mobile network
PPD            Paging Policy Differentiation
PPI            Paging Policy Indicator
PSA            PDU Session Anchor
QFI            QoS Flow Identifier
QoE            Quality of Experience
(R)AN            (Radio) Access Network
RLC            Radio Link Control
RM            Registration Management
RQA            Reflective QoS Attribute
RQI            Reflective QoS Indication        
RRC            Radio Resource Control
SA NR            Standalone New Radio
SBA            Service Based Architecture
SBI            Service Based Interface
SD            Slice Differentiator
SDAP              Service Data Adaptation Protocol
SEAF              Security Anchor Functionality
SEPP          Security Edge Protection Proxy
SMF            Session Management Function
SMS            Short Message Service
SMSF          SMS Function
S-NSSAI        Single Network Slice Selection Assistance Information
SSC            Session and Service Continuity
SST            Slice/Service Type
SUCI          Subscription Concealed Identifier
SUPI          Subscription Permanent Identifier
UDM            Unified Data Management
UDSF          Unstructured Data Storage Function
UL            Uplink
UL CL        Uplink Classifier
UPF            User Plane Function
UDR            Unified Data Repository
URSP          UE Route Selection Policy
SMS            Short Message Service
SMSF          SMS Function
【０００９】
(定義)
本文書の目的上、3GPP TR 21.905、3GPP TS 24.501及び以下に示す用語及び定義を適用する。本文書で定義された用語は、3GPP TR 21.905及び3GPP TS 24.501において、もし同じ用語があれば、その定義に優先する。
【００１０】
第１の側面(ソリューション1は問題のあるステートメント1を解決する。)
図1、図2、および図3は、本側面が扱ういくつかのシナリオによって参照されるリファレンスアーキテクチャとして与えられる。
【００１１】
あるアクセスネットワークで緊急登録されたUEは、別のアクセスネットワークでのサービスには影響しない。
【００１２】
このソリューションの概要を以下に示す。
【００１３】
1.UEがPLMNへの第１のアクセスネットワークでの緊急サービスの初期登録を正常に完了した場合、または緊急サービスのために第１のアクセスネットワークで確立された唯一のPDU セッションを有する場合、UEは、PLMNに対して第１のアクセスネットワークで緊急登録される。UEが第１のアクセスネットワークで緊急サービスに登録されると、UEは第１のアクセスネットワークで非緊急サービスすなわち通常サービス(例えば、インターネットの閲覧、モノのインターネット (Internet of Things:IoT) 、産業用のマシンツーマシン (Machine to Machine) 通信)にアクセスすることを許可されない。
【００１４】
UEが非緊急サービスを有するために、UEは、第１のアクセスネットワークで登録解除手順を実行し、次にUEは、第１のアクセスネットワークで非緊急サービス、すなわち、通常サービスを受けるために、PLNMNへ第１のアクセスネットワークで登録する。
【００１５】
2.UEがPLMNへ第１のアクセスネットワークで緊急登録されている場合、同じPLMNもしくは非等価なPLMNへ第２のアクセスネットワークでの通常サービスには影響しない。つまり、UEは、UEが緊急サービスに登録されている同じPLMNもしくは、UEが緊急サービスに登録されているPLMNと非等価なPLMNを介して第２のアクセスネットワークでUEへ非緊急サービスまたは通常サービスを供給するData Network (DN)へアクセスする。UEが第１のアクセスネットワークで緊急サービスに登録されるとき、UEは以下の動作を行うことができる。
【００１６】
2.1 UEは、非緊急サービスすなわち通常サービスのために、第２のアクセスネットワークでPLMNへの登録手順を実行することができる。登録手順に成功すると、UEは、第２のアクセスネットワークで、同一のPLMNまたは別のPLMNに対する非緊急サービスのためのPDUセッションを確立する。非緊急サービスのためのPDUセッションが確立されると、UEはこのPDUセッションに関連するデータを送受信する。
【００１７】
2.2 UEがすでに第２のアクセスネットワークで別のPLMNに登録されている場合、UEは上位レイヤからの要求に応じて非緊急サービスのためのPDUセッションを確立する。このPDUセッションの確立に成功すると、UEはこのPDU セッションに関連するデータを送受信できるようになる。
【００１８】
2.3.UEがすでに別のPLMNへ第２のアクセスネットワークで登録されており、UEがすでに別のPLMNで非緊急サービスのためのPDUセッションを有する場合、UEはこのPDUセッションに関連するユーザプレーンを確立することができる。PDUセッションの確立に成功すると、UEは、ユーザプレーンでこのPDU セッションに関連するデータを送受信できるようになる。
【００１９】
2.4.UEは、第２のアクセスネットワークで緊急登録手順を実行しない。UEが第１のアクセスネットワークで緊急サービスに登録されている間に、AMFが第２のアクセスネットワークでの緊急登録であることを示すRegistration requestメッセージを受信すると、AMFは、UEに対して第２の緊急登録が許可されていないことを示す適切なcause valueを用いてRegistration Requestメッセージを拒絶する。
【００２０】
2.5.UEは、第２のアクセスネットワークで緊急登録を開始してもよい。これは、第２のアクセスネットワークが利用可能になっている間に、UEが第１のアクセスネットワークのカバレッジから外れた場合に発生する可能性がある。例えば、UEは3GPPアクセスネットワークでの緊急サービスを保持して地下鉄駅に移動し、非3GPPアクセスネットワークとしてのWiFiが利用可能になる間に、3GPP無線カバレッジの不足により3GPPアクセスを失う。あるいは、UEは、第２のアクセスネットワークで全く新しい緊急要求（Emergency requisition）手順を開始してもよい。この場合、UEは、これが既存の緊急サービスに加えて独立した緊急登録要求であることを示す明示的なNAS情報要素を使用してもよい。
【００２１】
UEが第１のアクセスネットワークで緊急サービスに登録されている間に、AMFが第２のアクセスネットワークでの緊急登録であることを示すRegistration requestメッセージを受信した場合、AMFにはいくつかのオプションがある。
【００２２】
オプションA:UEは、第１のアクセスネットワークから第２のアクセスネットワークへPDUセッションを移動するために、第１のアクセスネットワークで緊急サービスに使用されるPDUセッションIDを用いて、緊急サービスのためのPDUセッション確立手順を実行する。この場合、3GPPアクセス及び信頼性のない非3GPPアクセス（untrusted non-3GPP access）の間のPDUセッションのハンドオーバもしくは3GPPアクセスから信頼性のない非3GPPアクセスへ(ローカルブレークアウトによる非ローミングとローミング)のPDUセッションのハンドオーバが実行される。
【００２３】
オプションB:UEは、第１のアクセスネットワークで緊急サービスに使用されるPDUセッションIDなしで、緊急サービスのためのPDUセッション確立手順を実行する。UEは、これが緊急サービスのための独立したPDU セッション確立要求であることを示す明示的なNAS情報要素を使用してもよい。この手順は、UEが第２のアクセスネットワークで新しい緊急サービスを開始する必要があるシナリオで使用される。この場合、第２のアクセスネットワークで緊急登録手順が成功した後、AMFは、PDUセッションを解放するために、第１のアクセスネットワーク上のPDUセッションに対してNetwork-initiated Deregistration手順を開始してもよい。あるいは、ネットワーク、すなわち5GSは、第１のアクセスネットワークでの緊急サービス及び第２のアクセスネットワークでの他の緊急サービスの二つの緊急サービスを同時に処理する。
【００２４】
UEが別のアクセスネットワークで第２のPLMNへの登録をサポートする場合に、あるアクセスネットワークでUEが緊急サービスのためにPLMNへ登録される際のUEの詳細な挙動を以下に示す。
【００２５】
シナリオ1:
図4は、UEが他のアクセスネットワークで緊急登録されている場合に、他のアクセスネットワークで非緊急サービスにアクセスする手順を示す。
1.1 UEは、第１のアクセスネットワーク (AN)で緊急サービスのために第１のPLMNに登録される。
【００２６】
1.2 UEは、非緊急サービスすなわち通常サービスのために、第２のアクセスネットワークで第２のPLMNへの登録手順を実行する。
【００２７】
1.3 登録手順に成功すると、UEは、第２のアクセスネットワークで非緊急サービスのために第２のPLMNに対してPDUセッションを確立する。非緊急サービスのためのPDU セッションが確立された後に、UEはこのPDU セッションに関連するデータを送受信する。ステップ1.3のこのUEの挙動は、以下のようにあらわされてもよく、すなわち、UEは、以下の条件のうちの少なくとも一つが満たされる場合に、第２のアクセスネットワークで非緊急サービスのために第２のPLMNに対してPDU セッションを確立する。
【００２８】
(a) UEは、第１のアクセスネットワーク(例:3GPPアクセス)、第２のネットワーク(例:非3GPPアクセス)をサポートし、第１のアクセスネットワーク及び第２のネットワークを介して、同時にPLMN又は二つの異なるPLMNへの登録することをサポートする。
(b) UEは、第１のアクセスネットワーク及び第２のネットワークを介して同時にPLMNまたは2つの異なるPLMNに登録している。
UEは、第２のアクセスネットワークでSMSサービスまたはロケーションサービスを有してもよい。
【００２９】
シナリオ2:
図5は、UEが別のアクセスネットワークで緊急登録されている場合に、別のアクセスネットワークで非緊急サービスにアクセスする手順を示す。
2.1 UEは、第１のアクセスネットワーク (AN)で通常サービスのために第１のPLMNへ登録される。
【００３０】
2.2 UEは、第２のアクセスネットワークで緊急サービスのために第２のPLMNへ登録される。
【００３１】
2.3.UEが第２のアクセスネットワークで緊急サービスのために第２のPLMNへに登録された後、UEは通常サービスのために第１のアクセスネットワークで第１のPLMNへ登録されたままであり、すなわち第２のアクセスネットワークでの第２のPLMNへの緊急登録は通常サービスに影響を及ぼさない。UEは、第１のアクセスネットワークで第１のPLMNからアクセスしている。このシナリオでは、UEは次の手順を実行する。
【００３２】
2.4 UEには、例えば、以下のユーザサービスがある。
【００３３】
(1) UEは、上位レイヤからの要求に応じて、第１のアクセスネットワークで第１のPLMNに対して通常サービスのためのPDU セッションを確立し、このPDU セッションに関連するデータを送受信する。
【００３４】
(2) 通常サービスのためのPDU セッションが第１のPLMNに対してすでに確立されている場合、UEは、このPDU セッションのためのユーザプレーンを確立するための上位レイヤからの要求に応じて、データを送受信するために、このPDU セッションに対するユーザプレーンを確立する。
【００３５】
(3) UEは、第１のアクセスネットワークでSMSサービスまたはロケーションサービスを有する。
【００３６】
シナリオ1と2の両方について：
次のケースは、シナリオ1とシナリオ2の両方で有効である。
【００３７】
(1) シナリオ1とシナリオ2の1つの例では、第１のPLMNと第２のPLMNは同じであり、5GSで構成されている。第１のアクセスネットワークと第２のアクセスネットワークは、3GPPアクセスと非3GPPアクセスである。第１のアクセスネットワークと第２のアクセスネットワークは、常に異なるタイプのアクセスネットワークである。すなわち、第１のアクセスネットワークが3GPPアクセスである場合、第２のアクセスネットワークは非3GPPアクセスであり、または第１のアクセスネットワークが非3GPPアクセスである場合、第２のアクセスネットワークは3GPPアクセスである。この場合、第１のアクセスネットワークと第２のアクセスネットワークは同じAMFに接続されている。このアーキテクチャを図1に示す。
【００３８】
(2) シナリオ1および2の別の例では、第１のPLMNおよび第２のPLMNは、非等価PLMNである。第１のアクセスネットワークと第２のアクセスネットワークは、常に異なるタイプのアクセスネットワークである。すなわち、第１のアクセスネットワークが3GPPアクセスである場合、第２のアクセスネットワークは非3GPPアクセスであり、または第１のアクセスネットワークが非3GPPアクセスである場合、第２のアクセスネットワークは3GPPアクセスである。この場合、第１のアクセスネットワーク及び第２のアクセスネットワークは、二つの異なるAMF (1つのAMFは第１のPLMNのAMFであり、第２のAMFは第２のPLMNのAMFである)に接続される。このアーキテクチャを図2に示す。
【００３９】
(3) シナリオ1および2の別の例では、UEおよびネットワークは二重登録（Dual Registration）手順をサポートする。第１のPLMNおよび第２のPLMNは、同一または等価のPLMNであり、それぞれ5GSおよびEPSからなる。第１のアクセスネットワークはAMFに接続されたgNBまたは非3GPPアクセスであり、第２のアクセスネットワークはEPCに接続されたng-eNBまたはeNBである。このアーキテクチャを図3に示す。
【００４０】
(4) UEが緊急サービスのために登録されているネットワークに対して、アクセスネットワークで登録解除手順を実行する場合、それは、UEが通常サービスのために登録されている別のアクセスネットワークでの通常サービスに影響を与えない。すなわち、UEが、別のアクセスネットワークで通常サービスに登録されているままである場合、UEは、別のアクセスネットワークでPDU セッションを確立することができるか、または、別のアクセスネットワークで何らかのデータ転送が進行中である場合、データ転送は、別のアクセスネットワークで継続される。
【００４１】
(5) 3GPPアクセスと非3GPPアクセス(あるアクセスネットワークで緊急サービスに登録され、別のアクセスネットワークで通常サービスに登録される)でUEが同じAMFに登録されている場合、UEが緊急サービスに登録されているアクセスネットワークで登録解除手順を実行する場合、共通のNASパラメータ、例えば、5G-GUTI、5G NASセキュリティコンテキストパラメータ、等価のPLMN、を削除しない。UEは、UEが通常サービスに登録されている第２のアクセスネットワークで共通パラメータを使用し続ける。
【００４２】
また、上記ステップ2.4は、以下の説明のようにあらわされてもよい、すなわち、UEは、以下の条件のうちの少なくとも一つを満たす場合に、UEが上記のユーザサービスを有する。
【００４３】
(a) UEは、第１のアクセスネットワーク(例:3GPPアクセス)及び第２のネットワーク(例:非3GPPアクセス)をサポートし、第１のアクセスネットワーク及び第２のネットワークを介して同時に一つのPLMN又は二つの異なるPLMNへの登録をサポートする。
【００４４】
(b) UEは第１のアクセスネットワークと第２のネットワークを介して同時に一つのPLMNまたは二つの異なるPLMNに登録している。
【００４５】
シナリオ3:
図6は、UEが他のアクセスネットワークで緊急登録されている場合に、他のアクセスネットワークで緊急サービスにアクセスする手順を示す。
3.1 UEは、第１のアクセスネットワーク (AN) で緊急サービスに登録される。
3.1 UEは、第１のアクセスネットワーク (AN) で緊急サービスに登録される。
【００４６】
3.2 UEは、緊急登録であることを示すRegistration requestメッセージを、第２のアクセスネットワークでAMFに送信する。
【００４７】
3.3 AMFは「緊急登録は許可されていない（Emergency registration is not allowed）」または「緊急登録済み（Emergency registered already）」を示すcauseを伴うRegistration RejectメッセージをUEに送信することによってRegistration Requestメッセージを拒否する。
【００４８】
UEがAMFからRegistration Rejectメッセージを受信すると、UEは、第１のアクセスネットワークでの緊急サービスが終了するまで、すなわち、UEが第１のアクセスネットワークでの緊急サービスのための5GSからデタッチするまで、第２のアクセスネットワークで緊急用のRegistration requestメッセージを送信しないものとする。しかしながら、UEは、第１のアクセスネットワークでの登録状態にかかわらず、第２のアクセスネットワークでの通常のサービスのための非緊急用のRegistration requestメッセージを送信してもよい。
【００４９】
UEが第１のアクセスネットワークで緊急サービスに登録されているが、例えば、ネットワークの輻輳のためにPDU セッションが確立されていない場合、AMFは、第２のアクセスネットワークでUEへ緊急サービスを提供するためにUEからの緊急登録を示すRegistration Requestメッセージを受け入れてもよい。緊急登録手順が成功し、関連するPDUセッションが第２のアクセスネットワークで確立された場合、AMFは、第１のアクセスネットワークでUEへのNetwork-initiated Deregistration手順を開始してもよい。
【００５０】
シナリオ4:
図7は、UEが別のアクセスネットワークで緊急登録されている場合に、別のアクセスネットワークで緊急サービスにアクセスする手順を示す。
図7では、両方のアクセスネットワークの共通AMFとして示されているAMFは1つだけだが、このシナリオは、2つのAMFが関係している状況にも有効であり、1つのAMFは、第１のアクセスネットワークで接続された緊急サービスのためであり、他のAMFは、第２のアクセスネットワークで接続された緊急サービスのためである。
【００５１】
4.1 UEは、第１のアクセスネットワーク (AN)で緊急サービスのために登録される。UEは、第１のアクセスネットワークで緊急サービスのためのPDU セッションを確立する。
【００５２】
4.2 UEは、第１のアクセスネットワークで同じPLMNへの緊急登録手順に成功した後、第２のアクセスネットワーク (AN)で緊急サービスのために登録される。UEには緊急サービスのためのPDU セッションがない。
【００５３】
4.3 登録手順に成功すると、UEは、第２のアクセスネットワークで緊急サービスのためのPDU セッションを確立する。UEは、すべてのセッションが第２のアクセスネットワークでのPDU セッションに転送されるように、第１のアクセスネットワークでのPDU セッションと同一のPDU セッションを確立してもよい。
【００５４】
4.4第１のアクセスネットワークから第２のアクセスネットワークへのPDUセッション手順のハンドオーバが発生する。この手順は、3GPPと信頼性のない非3GPPアクセスとの間のPDUセッション手順のハンドオーバ、または、3GPP TS 23.502に記述されているように、3GPPから信頼性のない非3GPPアクセス(ローカルブレークアウトによる非ローミングとローミング)へのPDUセッション手順のハンドオーバのいずれかであり得る。
【００５５】
すべてまたはいくつかの緊急サービスは、UEが第１のアクセスネットワークで5GSへの無線接続を失っても、緊急サービスを継続することができるように、第２のアクセスネットワークの新しいPDU セッションに転送される。
【００５６】
シナリオ5:
図8は、UEが別のアクセスネットワークで緊急登録されている場合に、別のアクセスネットワークで緊急サービスにアクセスする手順を示す。
図8では、両方のアクセスネットワークの共通AMFとして示されているAMFは1つだけだが、このシナリオは、2つのAMFが関係している状況にも有効であり、1つのAMFは第１のアクセスネットワークで接続された緊急サービスのためであり、他のAMFは第２のアクセスネットワークで接続された緊急サービスのためである。
【００５７】
5.1 UEは、第１のアクセスネットワーク (AN) で緊急サービスのために登録される。
【００５８】
5.2 UEは、第２のアクセスネットワークで同じPLMNへの緊急登録手順に成功した後、第２のアクセスネットワーク (AN)で緊急サービスに登録される。
【００５９】
5.3 登録手順に成功すると、UEは、第２のアクセスネットワークで緊急サービスのためのPDU セッションを確立する。
【００６０】
5.4 AMFは、第１のアクセスネットワークでPDUセッションを解放するために、当該PDUセッションに対して、Network-initiated PDU session release手順を開始してもよい。あるいは、ネットワーク、すなわち5GSは、第１のアクセスネットワークでの緊急サービス及び第２のアクセスネットワークでの他の緊急サービスの二つの緊急サービスを同時に処理する。
【００６１】
シナリオ4と5は、図1、2、または3で説明したシナリオに適用される。
【００６２】
ユーザ機器 (UE)
図９は、UE(100)の主要構成要素を示すブロック図である。図示のように、UE(100)は、1つ以上のアンテナ(104)を介して、接続されたノードに信号を送信し、かつ、ノードから信号を受信するように動作可能なトランシーバ回路 (103)を含む。必ずしも図９に示されていないが、UEは当然ながら一般的なモバイル装置のすべての通常の機能(ユーザーインターフェース（102）など)を有し、これは、ハードウェア、ソフトウェアおよびファームウェアの任意の1つまたは任意の組み合わせによって適切に提供され得る。ソフトウェアは、例えば、メモリにプリインストールされていてもよく、および/または、電気通信ネットワークを介して、またはremovable data storage device(RMD)からダウンロードされてもよい。
【００６３】
コントローラは、メモリ(105)に記憶されたソフトウェアに従ってUE(100)の動作を制御する(101)。ソフトウェアは、とりわけ、オペレーティングシステムと、少なくともトランシーバ制御モジュール(107)を有する通信制御モジュール(106)とを含む。通信制御モジュール(106)(トランシーバ制御サブモジュールの使用)は、UE(100)と他のノード、例えば基地局/(R)ANノード、MME、AMF (その他のコアネットワークノード)との間のシグナリングおよびアップリンク/ダウンリンクデータパケットの処理 (生成/送信/受信)を担当する。このようなシグナリングは、例えば、接続確立および維持(例えばRRC接続確立および他のRRCメッセージ)、周期的位置更新関連メッセージ (例えば、tracking area update、ページングエリア更新、ロケーションエリア更新) などに関連する適切にフォーマットされたシグナリングメッセージを含み得る。このようなシグナリングは、例えば、受信ケースにおけるブロードキャスト情報(例えばマスター情報やシステム情報など)も含み得る。
【００６４】
(R)ANノード
図１０は、例示的な (R)ANノード(200)の主要構成要素を示すブロック図であり、例えば、基地局(LTEでは「eNB」、5Gでは「gNB」)もしくはアクセスポイント（例：wifi AP）であってもよい。図示されるように、 (R)ANノード(200)は、1つ以上のアンテナ(204)を介して接続されたUEと信号を送受信し、ネットワークインターフェース(202)を介して他のネットワークノードと信号を(直接的または間接的に)送受信するように動作可能なトランシーバ回路(203)を含む。コントローラ(201)は、メモリ(205)に記憶されたソフトウェアに従って、 (R)ANノード(200)の動作を制御する。ソフトウェアは、例えば、メモリ(205)にプリインストールされていてもよく、および/または、電気通信ネットワークを介して、またはremovable data storage device(RMD)からダウンロードされてもよい。ソフトウェアは、とりわけ、オペレーティングシステムと、少なくともトランシーバ制御モジュール (207)を有する通信制御モジュール(206)とを含む。
【００６５】
通信制御モジュール (207)(トランシーバ制御サブモジュールの使用) は、 (R)ANノード(200)と、UE、MME、AMFなどの他のノードとの間の(例えば直接的または間接的な)シグナリングの処理(生成/送信/受信)を担当する。シグナリングは、例えば、無線接続およびロケーション手順(特定のUEに対して)、特に、接続確立および維持(例えば、RRC接続確立および他のRRCメッセージ)、周期的ロケーション更新関連メッセージ (例えば、tracking area update、ページングエリア更新、ロケーションエリア更新)、S1APメッセージおよびNG APメッセージ(つまりN2 reference pointによるメッセージ)、などに関連する適切にフォーマットされたシグナリングメッセージを含んでもよい。このようなシグナリングは、例えば、送信ケースにおけるブロードキャスト情報 (例えば、マスター情報やシステム情報など)も含んでもよい。
【００６６】
コントローラ(201)はまた、搭載されると、UE移動推定および/または移動軌道推定などの関連タスクを(ソフトウェアまたはハードウェアによって)処理するように構成される。
【００６７】
AMF
図１１は、AMF(300)の主要構成要素を示すブロック図である。AMF(300)は5GCに含まれている。図示されるように、AMF(300)は、ネットワークインターフェース(302)を介して他のノード(UEを含む)と信号を送受信するように動作可能なトランシーバ回路(303)を含む。コントローラ(301)は、メモリ(304)に記憶されたソフトウェアに従ってAMF(300)の動作を制御する。ソフトウェアは、メモリ(304)にプリインストールされていてもよく、および/または、例えば、電気通信ネットワークを介して、またはremovable data storage device(RMD)からダウンロードされてもよい。ソフトウェアは、とりわけ、オペレーティングシステムと、少なくともトランシーバ制御モジュール(306)を有する通信制御モジュール (305) とを含む。
【００６８】
通信制御モジュール(305)(トランシーバ制御サブモジュールの使用)は、AMF(300)と、UE、基地局/(R)ANノード(例：「gNB」または「eNB」)などの他のノードとの間の(直接的または間接的な)シグナリングの処理(生成/送信/受信)を担当する。このようなシグナリングは、例えば、NASメッセージをUEとの間で搬送するために、本明細書に記載される手順に関連する適切にフォーマットされたシグナリングメッセージ、例えばNG APメッセージ (つまり、N2 reference pointによるメッセージ)を含んでもよい。
【００６９】
本出願は、2018年6月25日に出願されたインド特許出願第201811023556号に基づく優先権の利益を主張するものであり、その開示は参照によりその全体が本明細書に組み込まれる。
【符号の説明】
【００７０】
100 UE
101コントローラ
102ユーザー・インタフェース
103トランシーバ回路
104アンテナ
105メモリ
106通信制御モジュール
107トランシーバ制御モジュール
200 (R) ANノード
201コントローラ
202ネットワーク・インタフェース
203トランシーバ回路
204アンテナ
205メモリ
206通信制御モジュール
207トランシーバ制御モジュール
300 AMF
301コントローラ
302ネットワーク・インタフェース
303トランシーバ回路
304メモリ
305通信制御モジュール
306トランシーバ制御モジュール
【図１】
2021527996.tif 000003
【図２】
2021527996.tif 000004
【図３】
2021527996.tif 000005
【図４】
2021527996.tif 000006
【図５】
2021527996.tif 000007
【図６】
2021527996.tif 000008
【図７】
2021527996.tif 000009
【図８】
2021527996.tif 000010
【図９】
2021527996.tif 000011
【図１０】
2021527996.tif 000012
【図１１】
2021527996.tif 000013
【手続補正書】
【提出日】令和2年12月15日(2020.12.15)
【手続補正１】
【補正対象書類名】特許請求の範囲
【補正対象項目名】全文
【補正方法】変更
【補正の内容】
【特許請求の範囲】
【請求項１】
第１のアクセスネットワークで緊急サービスのために第１のPLMN（Public Land Mobile Network）に登録されている場合に、非緊急サービスのために、第２のアクセスネットワークで第２のPLMNへの登録手順を実行し、
前記第２のアクセスネットワークで、前記第２のPLMNに対し、前記非緊急サービスのためのPDU（Protocol Data Unit）セッションを確立する
UE（User Equipment）の方法。
【請求項２】
第１の緊急サービスのために、第１のアクセスネットワークで第１のPLMN（Public Land Mobile Network）への登録手順を実行し、
前記第１のアクセスネットワークで、前記第１の緊急サービスのための第１のPDU（Protocol Data Unit）セッションを確立し、
前記第１のアクセスネットワークで前記第１の緊急サービスのために前記第１のPLMNに登録されており、第２のアクセスネットワークが利用可能な場合に、第２の緊急サービスのために、第２のアクセスネットワークで第２のPLMNへの登録手順を実行し、
前記第２のアクセスネットワークで、前記第２の緊急サービスのための第２のPDUセッションを確立し、
前記第１のアクセスネットワークから前記第２のアクセスネットワークへのPDUセッション手順のハンドオーバを実行する
UE（User Equipment）の方法。
【請求項３】
前記第２のPDUセッションはPDUセッション識別子を用いて確立され、
前記PDUセッション識別子は、前記第１のPDUセッションを確立するために用いられたものである
請求項２に記載の方法。
【請求項４】
前記第２のPDUセッションを確立する場合に、前記第２のアクセスネットワークに移される前記第１のPDUセッションのPDUセッション識別子を用いる
請求項２に記載の方法。
【請求項５】
前記第２のPDUセッションを確立する場合に、前記第１のPDUセッションのPDUセッション識別子を用いる
請求項２に記載の方法。
【請求項６】
第１のアクセスネットワークで緊急サービスのために第１のPLMN（Public Land Mobile Network）に登録されている場合に、非緊急サービスのために、第２のアクセスネットワークで第２のPLMNへの登録手順を実行する手段と、
前記第２のアクセスネットワークで、前記第２のPLMNに対し、前記非緊急サービスのためのPDU（Protocol Data Unit）セッションを確立する手段と
を備えるUE（User Equipment）。
【請求項７】
第１の緊急サービスのために、第１のアクセスネットワークで第１のPLMN（Public Land Mobile Network）への登録手順を実行する手段と、
前記第１のアクセスネットワークで、前記第１の緊急サービスのための第１のPDU（Protocol Data Unit）セッションを確立する手段と、
前記第１のアクセスネットワークで前記第１の緊急サービスのために前記第１のPLMNに登録されており、第２のアクセスネットワークが利用可能な場合に、第２の緊急サービスのために、第２のアクセスネットワークで第２のPLMNへの登録手順を実行する手段と、
前記第２のアクセスネットワークで、前記第２の緊急サービスのための第２のPDUセッションを確立する手段と、
前記第１のアクセスネットワークから前記第２のアクセスネットワークへのPDUセッション手順のハンドオーバを実行する手段と
を備えるUE（User Equipment）。
【請求項８】
前記第２のPDUセッションはPDUセッション識別子を用いて確立され、
前記PDUセッション識別子は、前記第１のPDUセッションを確立するために用いられたものである
請求項７に記載のUE。
【請求項９】
前記第２のPDUセッションを確立する場合に、前記第２のアクセスネットワークに移される前記第１のPDUセッションのPDUセッション識別子を用いる手段
を備える請求項７に記載のUE。
【請求項１０】
前記第２のPDUセッションを確立する場合に、前記第１のPDUセッションのPDUセッション識別子を用いる手段
を備える請求項７に記載のUE。
【国際調査報告】
2021527996.tif 000014
2021527996.tif 000015